(57)【要約】  本発明は、異種内容物混合容器に関し、第1内容物を貯蔵している主容器と第2内容物を貯蔵している補助容器が相互に別途に包装されて分離して形成され、主容器の上部に補助容器を結合させた後、補助容器の上部を加圧の時に補助容器に貯蔵した第2内容物が主容器に移動して、第1,2内容物の混合が行われるよう構成されることにより、内容物充填、及び、組み立てが容易になるだけでなく、ユーザーの必要によって補助容器に貯蔵した第2内容物を選択し、第1内容物と混合し使用することができる。
2018510820.tif 000002
【特許請求の範囲】
【請求項１】
第1内容物を貯蔵する容器本体と、
前記容器本体の上部に結合した仕上げキャップであって、仕上げキャップの上部には、補助容器挿入ホールが形成され、前記補助容器挿入ホールの一側から内容物吐出ホールが形成されたノズルが上方向に延長するように形成され、仕上げキャップの内側下部には、中空を形成し、下部に延長される結合部を具備する仕上げキャップと、
前記結合部に結合して前記中空を閉塞し、下降作動によって、前記中空を開放する開閉部材と、
で構成される主容器と、
前記容器本体と分離して形成された貯蔵部であって、使用の時に、前記補助容器挿入ホールに挿入され、第2内容物を貯蔵し、貯蔵部の下端部に貯蔵した第2内容物が流出する内容物流出ホールが形成されたシーリング板を具備する貯蔵部と、
前記貯蔵部の内側に挿入されたシーリング部材であって、シーリング部材の内周面が前記シーリング板の外周面と密着し、前記内容物流出ホールを閉塞するシーリング部材と、
前記貯蔵部の上部を包んで結合し、ユーザー加圧可否により、自体弾性力によって下方向に移動してから復元され、前記容器本体内部の圧力を変化させ、ポンピング作動を誘導する弾性材質のボタン部と、
で構成される補助容器と、を含み、
前記補助容器を前記補助容器挿入ホールに挿入する過程で、前記貯蔵部、及び、ボタン部は下降し、前記シーリング部材の下降が停止されて密着していたシーリング部材の内周面とシーリング板の外周面とが相互離間され、前記内容物流出ホールが開放され、前記開閉部材が下降し、前記中空を開栓して前記貯蔵部に貯蔵した第2内容物が前記容器本体に移動し、第1内容物と混合され、前記ボタン部の加圧の時に第1,2内容物の混合内容物が、前記ノズルの内容物吐出ホールを通って滴形態で吐出されるように構成されることを特徴とする異種内容物混合容器。
【請求項２】
前記シーリング板は、前記貯蔵部の下端から延びる多数の連結ピンにより、前記内容物流出ホールを形成するように連結され、前記シーリング板の外周面が前記シーリング部材の内周面に密着し、前記貯蔵部に貯蔵した第2内容物が下方向に移動することを防止し、前記補助容器を補助容器挿入ホールに挿入する過程で、前記開閉部材を加圧して下方向に移動させるように、前記シーリング板の下部に加圧突起を具備することを特徴とする請求項１に記載の異種内容物混合容器。
【請求項３】
請求項２において、
前記開閉部材は、
前記結合部を包んで結合する結合リングと、
前記結合リングから延びる多数の連結ブリッジにより内容物移動ホールを形成するように連結され、前記結合部の内周面に密着して中空を閉塞する密閉板であって、前記補助容器を補助容器挿入ホールに挿入する過程で、前記加圧突起によって加圧されるように、密閉板の上端に開閉突起が突出するように形成される密閉板と、を含むことを特徴とする請求項２に記載の異種内容物混合容器。
【請求項４】
請求項２において、
前記仕上げキャップの内側には、前記補助容器を補助容器挿入ホールに挿入する過程で、前記シーリング部材の下端と接触して、前記シーリング部材の下降を制限する制限部が形成され、前記制限部には、前記連結ピンを挿入する挿入溝が形成されることを特徴とする請求項２に記載の異種内容物混合容器。
【発明の詳細な説明】
【技術分野】
【０００１】
本発明は、異種内容物混合容器に関し、より詳細には、第1内容物を貯蔵している主容器と、第2内容物を貯蔵している補助容器が相互別途に包装されて分離して形成され、主容器の上部に補助容器を結合させた後、補助容器の上部を加圧の時に補助容器に貯蔵した第2内容物が主容器に移動して、第1,2内容物の混合が行われるように構成されることにより、内容物充填、組み立てが容易になるだけでなく、ユーザーの必要によって補助容器に貯蔵した第2内容物を選択し、第1内容物と混合使用ができる異種内容物混合容器に関する。
【背景技術】
【０００２】
一般的に包装の内容物の中には、使用の時に一緒に混合して使用する場合、相乗効果を誘発する内容物があるが、最初から混合して同一の容器に一緒に収容する場合は、物理、化学的な反応による凝固、沈殿により排出不良が発生したり、内容物が変色、又は変質したりする恐れがあり、別途の容器に分離して収容してから、使用の時に一緒に混合して使用する成分があり、例えば、所定の液状化粧品と美白効果と肌の再生効果、小じわ除去などに効果が良いビタミンや、通常的なゾル（sol）状態の歯磨きと浸透力や香が優秀なゾルやゲル（gel）相の歯磨き、又はシャンプーとリンスの場合がここに該当する。
【０００３】
しかし、前記した各内容物は、別途の容器にそれぞれ収容して販売されるので、多数の容器に収容したそれぞれの内容物をいちいち吐出し、手に取って使用しなければならないので、ユーザーに煩わしさをもたらす問題があった。
【０００４】
この問題点を解決するために、一つの容器内に異種内容物をそれぞれ保管してから使用の時に異種の内容物を混合して使用することができる「異種内容物混合容器」の構造が大韓民国登録特許第10-1192603号（以下、「登録特許」とする。）に開示されている。
【０００５】
前記特許は、内容物が保管される保管室110を具備し、保管室110の内部には、ピストン120が設置されるハウジング100と、ハウジング100の上端に結合し、保管室110の内側に向かって係止部210が突出し形成され、上部には上側に延長するように形成されるガイド片220が形成されるガイドブラケット200と、ガイド片220と差し込まれて作動し、ユーザーの操作によって吐出口310に内容物が吐出するようにポンピング部材320を具備するボタン部300と、ガイドブラケット200とボタン部300間に選択的に脱離するように設置される密閉リング400と、内部には、保管室110に保管された内容物と異なる内容物を保管した状態で、ボタン部300に設置され、下段は、係止部210によって支持される収容部材510と、この収容部材510の下部を選択的に密閉し、ポンピング部材510の下部と結合し、ポンピング部材510のポンピングの時、ポンピング部材510と保管室110とを連通させる連通ホール521を具備した密閉部材520と、を含む保管箱500と、を含むことを特徴とする。
【０００６】
前記特許は、密閉リング400を除去した後、ボタン部300を下方向に加圧の時に、ポンピング部材320によって密閉部材520が下方向に移動され、収容部材510の下端を開放する。これにより、収容部材510の内部に保管された内容物が保管室110に流入され、異種内容物の混合が行われるように構成される。
【０００７】
しかし、前記のような構造で構成された特許は、収容部材510に内容物を充填し、ガイドブラケット200の内側に保管箱500を組み立てる必要があり、収容部材510の開放された下端部を介して内容物が自由落下することを防止するために、収容部材510の開放された下端を閉塞する密閉部材520が結合されるべきなど、その構造が非常に複雑で組立時間の増加はもちろん、容器自体の単価上昇をもたらす問題があった。
【０００８】
また、容器製造の時に、1つの容器内部に第1内容物と第2内容物を貯蔵した状態で販売されるため、ユーザーが必要によって内容物を選択して混合使用することができない問題があった。
【発明の概要】
【発明が解決しようとする課題】
【０００９】
本発明は、上述した問題点を解決するために考案されたもので、本発明の目的は、第1内容物を貯蔵している主容器と第2内容物を貯蔵している補助容器とが相互に別途に包装されて分離して形成され、主容器の上部に補助容器を結合させた後、補助容器の上部を加圧の時に、補助容器に貯蔵した第2内容物が主容器に移動し、第1,2内容物の混合が行われるように構成されることにより、内容物充填、組み立てが容易になるだけでなく、ユーザーの必要によって補助容器に貯蔵した第2内容物を選択し、第1内容物と混合使用ができる異種内容物混合容器を提供する。
【課題を解決するための手段】
【００１０】
前記のような問題点を解決するために、本発明に係る異種内容物混合容器は、第1内容物を貯蔵する容器本体と、前記容器本体の上部に結合する仕上げキャップであって、仕上げキャップの上部には、補助容器挿入ホールが形成され、前記補助容器挿入ホールの一側から内容物吐出ホールが形成されたノズルが上方向に延長するように形成され、仕上げキャップの内側下部には、中空を形成し、下部に延長される結合部を具備する仕上げキャップと、前記結合部に結合し、前記中空を閉塞して下降作動によって前記中空を開放する開閉部材と、で構成される主容器と、前記容器本体と分離して形成された貯蔵部であって、使用の時に、前記補助容器挿入ホールに挿入され、第2内容物を貯蔵し、貯蔵部の下端部に貯蔵した第2内容物が流出する内容物流出ホールが形成されたシーリング板を具備した貯蔵部と、前記貯蔵部の内側に挿入されたシーリング部材であって、シーリング部材の内周面が前記シーリング板の外周面と密着し、前記内容物流出ホールを閉塞するシーリング部材と、前記貯蔵部の上部を包んで結合し、ユーザー加圧可否によって、自体弾性力によって下方向に移動してから復元され、前記容器本体内部の圧力を変化させ、ポンピング作動を誘導する弾性材質のボタン部と、で構成される補助容器と、を含み、
【００１１】
前記補助容器を前記補助容器挿入ホールに挿入する過程で、前記貯蔵部、及び、ボタン部は下降し、前記シーリング部材は下降が停止されて密着していたシーリング部材の内周面とシーリング板の外周面とが相互離間され、前記内容物流出ホールが開放され、前記開閉部材が下降し、前記中空を開放して前記貯蔵部に貯蔵した第2内容物が前記容器本体に移動して、第1内容物と混合され、前記ボタン部の加圧の時に第1,2内容物の混合内容物が、前記ノズルの内容物吐出ホールを通って滴形態で吐出されるように構成されることを特徴とする。
【００１２】
また、前記シーリング板は、前記貯蔵部の下端から延びる多数の連結ピンにより前記内容物流出ホールを形成するように連結され、前記シーリング板の外周面が前記シーリング部材の内周面に密着し、前記貯蔵部に貯蔵した第2内容物が下方向に移動することを防止し、前記補助容器が補助容器挿入ホールに挿入される過程で、前記開閉部材を加圧して下方向に移動させるように、前記シーリング板の下部に加圧突起を具備することを特徴とする。
【００１３】
また、前記開閉部材は、前記結合部を包んで結合する結合リングと、前記結合リングから延びる多数の連結ブリッジにより内容物移動ホールを形成するように連結され、前記結合部の内周面に密着して中空を閉塞する密閉板であって、前記補助容器が補助容器挿入ホールに挿入される過程で、前記加圧突起によって加圧されるように、密閉板の上端に開閉突起が突出するように形成される密閉板と、を含むことを特徴とする。
【００１４】
また、前記仕上げキャップの内側には、前記補助容器が補助容器挿入ホールに挿入される過程で、前記シーリング部材の下端と接触され、前記シーリング部材の下降を制限する制限部が形成され、前記制限部に前記連結ピンを挿入する挿入溝が形成されることを特徴とする。
【発明の効果】
【００１５】
以上のように、本発明によれば、第1内容物を貯蔵している主容器と、第2内容物を貯蔵している補助容器が相互に別途に包装されて分離して形成され、主容器の上部に補助容器を結合させた後、補助容器の上部を加圧の時に、補助容器に貯蔵した第2内容物が主容器に移動し、第1,2内容物の混合が行われるよう構成されることにより、内容物充填、及び、組み立てが容易であるだけでなく、ユーザーの必要によって補助容器に貯蔵した第2内容物を選択して、第1内容物と混合使用ができる長所がある。
【図面の簡単な説明】
【００１６】
【図１】本発明の好ましい実施例に係る異種内容物混合容器の構成を示す分解斜視図である。
【図２】本発明の好ましい実施例に係る異種内容物混合容器の主容器、及び、補助容器の構成を示す斜視図である。
【図３】本発明の好ましい実施例に係る異種内容物混合容器の構成を示す組立断面図である。
【図４】本発明の好ましい実施例に係る異種内容物混合容器の使用方法を示す説明図である。
【図５】本発明の好ましい実施例に係る異種内容物混合容器の使用方法を示す説明図である。
【図６】本発明の好ましい実施例に係る異種内容物混合容器の内容物充填プロセスを示す説明図である。
【図７】本発明の好ましい実施例に係る異種内容物混合容器の内容物充填プロセスを示す説明図である。
【発明を実施するための形態】
【００１７】
以下、図面を参照して本発明を詳細に説明する。各図面に提示された同一の参照符号は、同一の部材を示す。
【００１８】
図1は、本発明の好ましい実施例に係る異種内容物混合容器の構成を示す分解斜視図であり、図2は、本発明の好ましい実施例に係る異種内容物混合容器の主容器、及び、補助容器の構成を示す斜視図であり、図3は、本発明の好ましい実施例に係る異種内容物の混合容器の構成を示す組立断面図である。
【００１９】
図1〜3を参照すると、本発明の好ましい実施例に係る異種内容物混合容器は、主容器100、補助容器200を含む。
【００２０】
主容器100は、第1内容物を貯蔵し、第1,2内容物の混合内容物を吐出するためのノズルを具備するものであり、容器本体110、仕上げキャップ120、開閉部材130で構成される。
【００２１】
容器本体110は、第1内容物を貯蔵している空間を形成するものであり、後述する補助容器200に貯蔵した第2内容物が下部に移動し、第1内容物と混合される過程を、外部から確認することができるように透明材質で構成することがよい。
【００２２】
仕上げキャップ120は、容器本体110の上部にネジ結合し、容器本体110の開放された上部を閉塞するものであり、本発明において、仕上げキャップ120の上部には、補助容器200を挿入することができるように補助容器挿入ホール121が形成されることが特徴である。
【００２３】
補助容器挿入ホール121は、補助容器200に貯蔵した第2内容物を容器本体110に貯蔵した第1内容物と混合して使用したい場合は、ユーザーが簡単に分離して形成された補助容器200を挿入することができるような空間を形成し、仕上げキャップ120の内側には、補助容器200を補助容器挿入ホール121に挿入する過程で、シーリング部材220の下端と接触し、シーリング部材220の下降を制限する制限部126が形成される。
【００２４】
制限部126には、ユーザーが補助容器200を、補助容器挿入ホール121に挿入の時に、補助容器200の連結ピン211との干渉が発生しないように連結ピン211を挿入する挿入溝127が形成される。これにより、挿入溝127に沿って連結ピン211が下降することにより、制限部126によってシーリング部材220の下降が停止された状態で貯蔵部210、及び、ボタン部230は、引き続き下降することができる。
【００２５】
一方、仕上げキャップ120の上端には、補助容器挿入ホール121の一側に偏向されたノズル122が上方向に延長するように形成され、容器本体110の内部で第1,2内容物が混合された状態で、ボタン部230を加圧の時に、管形状で形成されるノズル122の先端に形成された内容物吐出ホール123を通って、第1,2内容物の混合内容物の吐出が行われる。ノズル122の先端には、内容物吐出ホール123を開閉するカバー部128が着脱可能に結合される。
【００２６】
また、仕上げキャップ120の内側下部には、中空125を形成し、下部に延長され、開閉部材130と結合する結合部124を具備し、結合部124の外周面下部には、開閉部材130が下降の時に、結合部124から脱離することを防止するように離脱防止突起129を具備する。
【００２７】
開閉部材130は、結合部124に結合し、中空125を閉塞した状態で位置し、補助容器200を補助容器挿入ホール121に挿入の時に下降し、中空125を開放するように構成されるものであり、結合部124を包んで結合する結合リング131と、結合リング131から延びる多数の連結ブリッジ134によって内容物移動ホール135を形成するように連結され、結合部124の内周面に密着して中空125を閉塞する密閉板132で構成される。
【００２８】
密閉板132は、補助容器200を補助容器挿入ホール121に挿入する過程で下降し、中空125を開放することができるように、その上端に加圧突起214によって加圧される開閉突起133が突出し形成される。
【００２９】
一方、結合リング131の内側には、加圧突起214の加圧によって開閉部材130が下降の時に、結合部124から脱離することを防止するように、脱離防止突起129によって支持される係止突起136を具備する。
【００３０】
補助容器200は、第2内容物を貯蔵し、主容器100と分離して形成された状態で位置し、使用の時に主容器100の補助容器挿入ホール121に挿入されるものであり、貯蔵部210、シーリング部材220、ボタン部230を含む。
【００３１】
貯蔵部210は、第2内容物を貯蔵する空間を形成するものであり、その下端には多数の連結ピン211によって内容物流出ホール212を形成するように連結され、その外周面がシーリング部材220の内周面に密着し、貯蔵部210に貯蔵した第2内容物が下方向に移動することを防止するシーリング板213を具備し、シーリング板213の下部には、補助容器200を助容器挿入ホール121に挿入する過程で、開閉突起133を加圧し、開閉部材130を下方向に移動させるように加圧突起214を具備する。
【００３２】
シーリング部材220は、貯蔵部210の内側に挿入されるものであり、その内周面がシーリング板213の外周面と密着し、内容物流出ホール212を閉塞する。これにより、第2内容物を貯蔵部210に貯蔵することができる。
【００３３】
本発明において、シーリング部材220は、補助容器200を補助容器挿入ホール121に挿入する過程で、制限部126の上端に停止し、下方向移動が制限されることにより、シーリング板213と離間されることによって、内容物流出ホール212を開放するように構成されることが特徴である。これにより、内容物流出ホール212を通って第2内容物が流出して容器本体110に移動し、第1内容物と混合が行われる。
【００３４】
ボタン部230は、貯蔵部210の上部を包んで結合し、貯蔵部210の上部を閉塞するものであり、貯蔵部210の上部に結合する結合部231を具備する。
【００３５】
本発明において、結合部231の上部には、ユーザー加圧可否により、自体弾性力によって下方向に移動してから復元される弾性材質の弾性変形部232を具備することが特徴であり、弾性変形部232は、結合部231の上端から上方向に突出し形成され、ユーザーが弾性変形部232の上端部を加圧の時に上面全体が下方向に移動してから、ユーザーが加圧を解除の時に復元され、容器本体110内部の圧力を変化させ、ポンピング作動を誘導することにより、容器本体110に貯蔵した第1,2内容物の混合内容物を外部に排出することができる。
【００３６】
一方、弾性変形部232は、貯蔵部210に貯蔵した第2内容物の色相と同一の色相で構成され、弾性変形部232の色相を介して第2内容物の色相を認知するように構成することができる。
【００３７】
以下では、図4、及び、図5を参照し、本発明の好ましい実施例に係る異種内容物混合容器の使用方法を説明する。図4、及び、図5は、本発明の好ましい実施例に係る異種内容物混合容器の使用方法を示す説明図である。
【００３８】
まず、図4に示すように、第1内容物M1を貯蔵した主容器100と第2内容物M2を貯蔵した補助容器200が分離された状態で、主容器100の補助容器挿入ホール121に補助容器200を挿入する。
【００３９】
前記のように、補助容器挿入ホール121に補助容器200を挿入すると、図5に示すように、補助容器200が下方向に移動する過程で、シーリング部材220が制限部126の上端に停止する。このとき、連結ピン211は、挿入溝127に沿って下降することにより、シーリング部材220の下降は停止された状態で貯蔵部210、及び、ボタン部230は引き続き下降することができる。
【００４０】
前記のように、シーリング部材220の下降は停止された状態で、貯蔵部210、及び、ボタン部230が引き続き下降すると、密着していたシーリング部材220の内周面とシーリング板213の外周面が相互離間される。これにより、離間された空間を介して貯蔵部210に貯蔵した第2内容物M2が落下する。この時、貯蔵部210が下降する過程で、加圧突起214が開閉突起133を加圧し、開閉部材130が下降することによって、密閉板132が結合部124の内周面から離間され、中空125を開放することにより、第2内容物M2が容器本体110に移動し、第1内容物M1と混合が行われる。
【００４１】
前記のように、第1内容物M1と第2内容物M2の混合が完了した状態で、容器本体110を逆に覆した後、弾性変形部232を加圧すると、容器本体110内部の圧力が変化し、容器本体110に貯蔵した第1,2内容物の混合内容物M3がノズル122に沿って移動し、内容物吐出ホール123を通って滴形態で一定量吐出が行われる。
【００４２】
すなわち、本発明は、主容器100と分離して形成された補助容器200を主容器100の補助容器挿入ホール121に挿入する過程で、貯蔵部210に貯蔵した第2内容物M2が容器本体110に移動し、第1内容物M1と混合が行われるように構成され、容器本体110を逆に覆した状態で弾性変形部232を加圧の時、第1,2内容物の混合内容物M3が内容物吐出ホール123を通って滴形態で吐出されるように構成されるものであり、種類別に第2内容物がそれぞれ貯蔵した多数の補助容器200の中、ユーザーの必要によっていずれのひとつの第2内容物を選択して主容器100に挿入し、第1内容物と混合し使用するように構成されることにより、ユーザーに使いやすさを提供することができる。
【００４３】
一方、図6に示すように、主容器100に第1内容物M1を充填させ、開閉部材130を結合した仕上げキャップ120を主容器100の上部に結合させることで、簡単に主容器100を構成することができ、図7に示すように、貯蔵部210の内側にシーリング部材220を結合し、シーリング部材220の内周面がシーリング板213の外周面と密着した状態で、貯蔵部210の開放された上部を介して第2内容物M2を充填させ、ボタン部230を貯蔵部210の上部に結合させることで、簡単に補助容器200を構成することができる。
【００４４】
すなわち、本発明は、主容器100と補助容器200が分離して形成されることにより、第1内容物、及び、第2内容物の充填が容易になるので、製造上の利便性を提供することができ、異種内容物を混合するために主容器100の補助容器挿入ホール121に補助容器200を簡単に挿入することにより、主容器100と補助容器200間に組み立てが行われるため、ユーザーに使いやすさを提供することができる。
【００４５】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018510820.tif 000003
【図２】
2018510820.tif 000004
【図３】
2018510820.tif 000005
【図４】
2018510820.tif 000006
【図５】
2018510820.tif 000007
【図６（ａ）】
2018510820.tif 000008
【図６（ｂ）】
2018510820.tif 000009
【図６（ｃ）】
2018510820.tif 000010
【図７（ａ）】
2018510820.tif 000011
【図７（ｂ）】
2018510820.tif 000012
【国際調査報告】
2018510820.tif 000013
2018510820.tif 000014
2018510820.tif 000015
2018510820.tif 000016
2018510820.tif 000017
2018510820.tif 000018